(57)【要約】【課題】  水道管網における一箇所で水道水の流量及び残塩塩素濃度を計測することが可能であると共に、水道水が流れる向きが変化しても安定して流量測定を行うことが可能な流量・残塩塩素濃度計測器及び水道水の流量・残塩塩素濃度計測方法を提供する。【解決手段】  本発明の計測器１０によれば、流量センサ２０と残留塩素センサ３０とを備えているので、水道管網における一箇所で水道水の流量及び残塩塩素濃度を計測することが可能になる。そして、水道管網における水道水の流れる向きが変わっても、常に、流量センサ２０の下流側の残留塩素センサ３０のみが使用され、上流側の残留塩素センサ３０が停止されるので、残留塩素センサ３０の使用時に発生するイオンが、流量センサ２０の測定精度に影響を及ぼさなくなり、水道水が流れる向きが変化しても安定して流量測定を行うことが可能になる。【選択図】  図１
2005321230.tif 000002
【特許請求の範囲】
【請求項１】
水道水が流される流路を備えたボディと、
前記流路内に対向配置された１対の流量測定用電極を有し、前記流路に磁束が付与された状態でそれら１対の流量測定用電極の間に生じる電位差に基づいて前記水道水の流量を検出するための電磁流量センサと、
前記流路内に配置された１対の残留塩素濃度測定用電極を有し、使用時には前記１対の残留塩素濃度測定用電極の間に所定の電圧が印加され、前記水道水を介して前記１対の残留塩素濃度測定用電極の間に流れる電流に基づいて前記水道水の残留塩素濃度を検出するための残留塩素センサとを備えた流量・残留塩素濃度計測器において、
前記残留塩素センサは、前記電磁流量センサを前記流路の軸方向で挟んだ２箇所に対にして設けられ、
前記電磁流量センサの検出結果に基づき、前記水道水が流れる向きを判別する判別手段と、前記判別手段の判別結果に基づき、下流側の前記残留塩素センサを使用する一方、上流側の前記残留塩素センサを停止するように切り替える残留塩素センサ切替手段とを設けたことを特徴とする流量・残留塩素濃度計測器。
【請求項２】
前記各残留塩素センサは、前記流量測定用電極に対して前記流路に軸心周りに略９０度位相をずらして配置されたことを特徴とする請求項１に記載の流量・残留塩素濃度計測器。
【請求項３】
前記各残留塩素センサには、前記１対の残留塩素濃度測定用電極を一体固定したセンサハウジングが備えられ、前記流路に軸心周りに互いに略１８０度位相がずれた位置に前記両残留塩素センサのセンサハウジングが固定されたことを特徴とする請求項２に記載の流量・残留塩素濃度計測器。
【請求項４】
前記判別手段は、前記水道水が流れる向きと共に、前記水道水の流量の絶対値が、所定の基準値より小さいか否かを判別するように構成され、
前記残留塩素センサ切替手段は、前記判別手段の判別結果を受け、前記水道水の流量の絶対値が所定の基準値より小さい場合には、前記両残留塩素センサを停止し、前記水道水の流量の絶対値が前記基準値より大きい場合には、下流側の前記残留塩素センサのみを使用するように切り替えることを特徴とする請求項１乃至３の何れかに記載の流量・残留塩素濃度計測器。
【請求項５】
水道管に磁束を付与し、その磁束と交差する方向で対向する１対の流量測定用電極を有した電磁流量センサを用いて前記水道管を流れる水道水の流量を計測すると共に、
１対の残留塩素濃度測定用電極を有した残留塩素センサを用い、前記１対の残留塩素濃度測定用電極と水道水との間で酸化還元反応を行って水道水の残留塩素濃度を計測する水道水の流量・残留塩素濃度計測方法において、
前記水道水の流れの向きに応じて、前記電磁流量センサより下流側の前記残留塩素センサを使用する一方、上流側の前記残留塩素センサを停止するように切り替えることを特徴とする水道水の流量・残留塩素濃度計測方法。
【請求項６】
前記電磁流量センサの検出結果に基づいて、前記水道水の流れの向きを判別することを特徴とする請求項５に記載の水道水の流量・残留塩素濃度計測方法。
【発明の詳細な説明】
【技術分野】
【０００１】
本発明は、水道水の流量を検出するための電磁流量センサと水道水の残留塩素濃度を検出するための残留塩素センサとを備えた流量・残留塩素濃度計測器及びそれら電磁流量センサと残留塩素センサとを利用した水道水の流量・残留塩素濃度計測方法に関する。
【背景技術】
【０００２】
水道水を管理するために、水道管網の所定箇所には、電磁流量センサが取り付けられると共に、水道管網の別の箇所には、残留塩素濃度の試薬検査を行うための残留塩素濃度検出部が設けられている。そして、近年、試薬検査に代わって酸化還元反応を利用した残留塩素センサが用いられるようになり、上記した残留塩素濃度検出部を廃止して、従来より用いられていた電磁流量センサの近傍に残留塩素センサを取り付け、これにより水道管の軸方向に電磁流量センサと残留塩素センサとを並べた配置して、水道水の流量及び残留塩素濃度を計測していた。
【発明の開示】
【発明が解決しようとする課題】
【０００３】
ところで、水道管網に流れる水道水の向きは、その水道管網に繋がった複数世帯の水道水の使用状況に応じて変化する。このため、上記した従来の水道水の流量・残留塩素濃度計測方法では、電磁流量センサの電極が残留塩素センサの電極の下流に位置する場合が生じ、残留塩素センサの使用時に発生したイオンの影響により、電磁流量センサによる流量測定の精度が不安定になる場合が起こり得た。
【０００４】
なお、本発明に係る従来の技術を開示した特許文献は見つけることができなかった。
【０００５】
本発明は、上記事情に鑑みてなされたもので、水道管網における一箇所で水道水の流量及び残留塩素濃度を計測することが可能であると共に、水道水の流れる向きが変化しても安定して流量測定を行うことが可能な流量・残留塩素濃度計測器及び水道水の流量・残留塩素濃度計測方法の提供を目的とする。
【課題を解決するための手段】
【０００６】
上記目的を達成するためになされた請求項１の発明に係る流量・残留塩素濃度計測器は、水道水が流される流路を備えたボディと、流路内に対向配置された１対の流量測定用電極を有し、流路に磁束が付与された状態でそれら１対の流量測定用電極の間に生じる電位差に基づいて水道水の流量を検出するための電磁流量センサと、流路内に配置された１対の残留塩素濃度測定用電極を有し、使用時には１対の残留塩素濃度測定用電極の間に所定の電圧が印加され、水道水を介して１対の残留塩素濃度測定用電極の間に流れる電流に基づいて水道水の残留塩素濃度を検出するための残留塩素センサとを備えた流量・残留塩素濃度計測器において、残留塩素センサは、電磁流量センサを流路の軸方向で挟んだ２箇所に対にして設けられ、電磁流量センサの検出結果に基づき、水道水が流れる向きを判別する判別手段と、判別手段の判別結果に基づき、下流側の残留塩素センサを使用する一方、上流側の残留塩素センサを停止するように切り替える残留塩素センサ切替手段とを設けたところに特徴を有する。
【０００７】
請求項２の発明は、請求項１に記載の流量・残留塩素濃度計測器において、各残留塩素センサは、流量測定用電極に対して流路に軸心周りに略９０度位相をずらして配置されたところに特徴を有する。
【０００８】
請求項３の発明は、請求項２に記載の流量・残留塩素濃度計測器において、各残留塩素センサには、１対の残留塩素濃度測定用電極を一体固定したセンサハウジングが備えられ、流路に軸心周りに互いに略１８０度位相がずれた位置に両残留塩素センサのセンサハウジングが固定されたところに特徴を有する。
【０００９】
請求項４の発明は、請求項１乃至３の何れかに記載の流量・残留塩素濃度計測器において、判別手段は、水道水が流れる向きと共に、水道水の流量の絶対値が、所定の基準値より小さいか否かを判別するように構成され、残留塩素センサ切替手段は、判別手段の判別結果を受け、水道水の流量の絶対値が所定の基準値より小さい場合には、両残留塩素センサを停止し、水道水の流量の絶対値が基準値より大きい場合には、下流側の残留塩素センサのみを使用するように切り替えるところに特徴を有する。
なお、ここで、「水道水の流量の絶対値」は、水道水の流量の代用値の絶対値であってもよい。従って、「水道水の流量の絶対値」には、１対の流量測定用電極の間の電位差の絶対値も含まれる。
【００１０】
請求項５の発明に係る水道水の流量・残留塩素濃度計測方法は、水道管に磁束を付与し、その磁束と交差する方向で対向する１対の流量測定用電極を有した電磁流量センサを用いて水道管を流れる水道水の流量を計測すると共に、１対の残留塩素濃度測定用電極を有した残留塩素センサを用い、１対の残留塩素濃度測定用電極と水道水との間で酸化還元反応を行って水道水の残留塩素濃度を計測する水道水の流量・残留塩素濃度計測方法において、水道水の流れの向きに応じて、電磁流量センサより下流側の残留塩素センサを使用する一方、上流側の残留塩素センサを停止するように切り替えるところに特徴を有する。
【００１１】
請求項６の発明は、請求項５に記載の水道水の流量・残留塩素濃度計測方法において、電磁流量センサの検出結果に基づいて、水道水の流れの向きを判別するところに特徴を有する。
【発明の効果】
【００１２】
［請求項１の発明］
請求項１の流量・残留塩素濃度計測器は、電磁流量センサと残留塩素センサとを備えているので、この流量・残留塩素濃度計測器を用いることにより、水道管網における一箇所で水道水の流量及び残留塩素濃度を計測することが可能になる。そして、水道水の流れる向きが変わると、電磁流量センサを挟んだ２箇所に配置された１対の残留塩素センサのうち使用される残留塩素センサが切り替わり、常に、電磁流量センサの下流側の残留塩素センサのみが使用され、上流側の残留塩素センサが停止される。これにより、残留塩素センサの使用時に発生するイオンが、電磁流量センサの測定精度に影響を及ぼさなくなり、水道水の流れる向きが変化しても安定して流量測定を行うことが可能になる。
【００１３】
［請求項２の発明］
請求項２の流量・残留塩素濃度計測器では、１対の流量測定用電極に対して流路に軸心周りに略９０度位相をずらした位置に各残留塩素センサが配置されている。これにより、使用する残留塩素センサを一方から他方に切り替えた直後に、その一方の残留塩素センサで発生していたイオンが電磁流量センサ側に流れても、そのイオンは、電磁流量センサに対して流路の軸心周りに略９０度位相がずれた位置を通過し、電磁流量センサの測定精度への影響を抑えることができる。
【００１４】
［請求項３の発明］
請求項３の流量・残留塩素濃度計測器では、各残留塩素センサが、センサハウジングに１対の残留塩素濃度測定用電極を一体固定した構造になっている。これにより、残留塩素センサの取り扱いが容易になりかつ、各残留塩素センサの１対の残留塩素濃度測定用電極を、流路の一箇所に纏めて取り付けることができる。そして、１対の残留塩素センサの両センサハウジングが、流路に軸心周りに互いに略１８０度位相がずれた位置に配置されているので、使用する残留塩素センサを一方から他方に切り替えた直後に、その一方の残留塩素センサで発生していたイオンが他方の残留塩素センサ側に流れても、そのイオンは、残留塩素センサに対して流路の軸心周りに略１８０度位相がずれた位置を通過し、他方の残留塩素センサの測定精度への影響を抑えることができる。
【００１５】
［請求項４の発明］
請求項４の流量・残留塩素濃度計測器によれば、水道水が一方に向かって基準値より大きな流量で流れているときには、このとき電磁流量センサの下流側に位置した一方の残留塩素センサのみが使用され、水道水が他方に向かって基準値より大きな流量で流れているときには、このとき電磁流量センサの下流側に位置した他方の残留塩素センサのみが使用される。そして、流量の絶対値が基準値より小さくなり、水道水の流れが何れの方向を向くか不安定な場合には、両方の残留塩素センサが停止される。これにより、確実に電磁流量センサの下流の残留塩素センサのみを使用することが可能になる。
【００１６】
［請求項５の発明」
請求項５の水道水の流量・残留塩素濃度計測方法によれば、水道水の流れの向きに応じて、電磁流量センサより下流側の残留塩素センサを使用する一方、上流側の残留塩素センサを停止するので、残留塩素センサの使用時に発生するイオンが、電磁流量センサの測定精度に影響を及ぼさなくなり、水道水の流れる向きが変化しても安定して流量測定を行うことが可能になる。これにより、電磁流量センサと残留塩素センサとを隣接させて配置することが可能になり、水道管網における一箇所で水道水の流量及び残留塩素濃度を計測することができる。
【００１７】
［請求項６の発明］
請求項６の水道水の流量・残留塩素濃度計測方法によれば、水道水の流れの向きを判別するために、電磁流量センサの検出結果を利用するので、別途、水道水の流れの向きを判別するための手段を設けた場合に比べて、コスト削減を図ることができる。
【発明を実施するための最良の形態】
【００１８】
以下、本発明の一実施形態を図１〜図４に基づいて説明する。
図１に示した本実施形態に係る流量・残留塩素濃度計測器１０（以下、単に「計測器１０」という）は、本発明に係るボディとしてのパイプ部材１１を備え、そのパイプ部材１１に電磁流量センサ２０（以下、単に「流量センサ２０」という）と１対の残留塩素センサ３０，３０とが取り付けられている。
【００１９】
パイプ部材１１の両端部にはフランジ１１Ｆ，１１Ｆが備えられ、これらフランジ１１Ｆ，１１Ｆに水道管１２のフランジ１２Ｆが接合されてボルト固定されている。これにより、水道管１２とパイプ部材１１とが連通状態となり、パイプ部材１１内の流路１３に水道水が流される。ここで、計測器１０が取り付けられる水道管１２は、図示しない水道管網の一部を構成しており、その水道管網に連なる住居群の使用状況に応じて、水道管１２内を流れる水道水が向きが変化する。
【００２０】
流量センサ２０は、パイプ部材１１における軸方向に中間部に取り付けられている。また、流量センサ２０は、１対の電磁コイル２１，２１と１対の流量測定用電極２２，２２（図２参照。図１には、一方の流量測定用電極２２のみが示されている。）とを備えている。１対の電磁コイル２１，２１は、パイプ部材１１の長手方向の中間部分を径方向で挟んで対峙している。これら電磁コイル２１，２１は、図示しない励磁回路にて励磁され、同一方向に磁束を発生させる。即ち、電磁コイル２１，２１が励磁されると、一方の電磁コイル２１、パイプ部材１１、他方の電磁コイル２１の順に磁束が貫通し、その磁束と交差するように流路１３を水道水が流れる。
【００２１】
パイプ部材１１のうち電磁コイル２１，２１の対向方向と略直交する方向で対向した部分は、絶縁部材２３で構成されている。そして、１対の流量測定用電極２２，２２は、電磁コイル２１，２１の対向方向（即ち、磁束の方向）と略直交する方向で対向するように配置されて、絶縁部材２３に取り付けられている。詳細には、電磁コイル２１，２１の中心線は、流路１３の中心線に直交しており、それら電磁コイル２１，２１の中心線と流路１３の中心線とに共に直交する線が絶縁部材２３を貫通する部分に、センサ取付孔２３Ａが形成されている。そして、各センサ取付孔２３Ａ内に電磁コイル２１が保持され、電磁コイル２１の先端が流路１３内を流れる水道水に浸されている。
【００２２】
上記した構成により、流路１３内を水道水が流れて磁束を横切ると、流量測定用電極２２，２２の間に流量に応じた電位差が生じる。流量測定用電極２２，２２の間の電位差は、図２に示すように、ＯＰアンプ５３で増幅されて、制御回路５０の流量センサ用ＣＰＵ５２に取り込まれる。流量センサ用ＣＰＵ５２は、取り込んだ電位差から水道水の流量を演算して出力する。ここで、本実施形態では、例えば図１において水道水が右向きに流れるときの流量測定用電極２２，２２の間の電位差及び流量が「正」になるものとし、水道水が同図において左向きに流れるときの流量測定用電極２２，２２の間の電位差及び流量が「負」になるものとする。
【００２３】
図１に示すように、残留塩素センサ３０，３０は、パイプ部材１１の軸方向で流量センサ２０を挟んだ位置に配置されている。また、各残留塩素センサ３０は、図３に示すように、本発明に係る１対の残留塩素濃度測定用電極に相当するセンシング電極３３とベース電極３２とをセンサハウジング３１に固定して備えた構造になっている。センサハウジング３１は、例えば、絶縁部材で構成されており、螺子部３４の後端部から鍔部３５を側方に張り出した構造になっている。センシング電極３３は、例えば白金製の−極であって筒形状をなし、螺子部３４の先端から突出している。ベース電極３２は、例えば、銀製の＋極であり、センシング電極３３の内側に配置されかつ、センシング電極３３の先端から僅かに突出している。そして、ベース電極３２とセンシング電極３３との間は絶縁部材３１Ａによって絶縁されている。また、センサハウジング３１の後端面からは、各電極３２，３３に接続されたリード線３６Ａ，３６Ｂが延びている。
【００２４】
図１に示すように、パイプ部材１１には、その両端部寄り位置に残留塩素センサ３０，３０を螺合組み付けするための螺子孔３７，３７が貫通形成されている。一方の螺子孔３７は、一方の電磁コイル２１とパイプ部材１１の一端側のフランジ１１Ｆとの間に配置され、他方の螺子孔３７は、他方の電磁コイル２１とパイプ部材１１の他端側のフランジ１１Ｆとの間に配置されている。そして、これら螺子孔３７，３７に各残留塩素センサ３０，３０の螺子部３４が螺合されている。これにより、両残留塩素センサ３０，３０は、互いに流路１３に軸心周りに略１８０度位相をずらして配置されると共に、流量センサ２０の両流量測定用電極２２，２２に対して略９０度位相をずらして配置されている。
【００２５】
各残留塩素センサ３０は、螺子孔３７に螺合組み付けされると、センシング電極３３及びベース電極３２が流路１３内の水道水に浸される。この状態で残留塩素センサ３０のセンシング電極３３とベース電極３２との間に電圧を印加すると、それらセンシング電極３３及びベース電極３２と水道水のとの間で酸化還元反応が行われ、これにより、水道水を介して両電極３２，３３の間に電流が流れる。そして、水道水の残留塩素濃度が高いほど電流値が大きくなることを利用して残留塩素濃度が検出される。
【００２６】
図２に示すように、制御回路５０には、両残留塩素センサ３０，３０を選択的に使用するためのスイッチ５６が設けられている。スイッチ５６の入力端子には、直流電源５７の正極が常時接続されている。また、スイッチ５６の出力側には、第１出力端子５６Ａと第２出力端子５６Ｂとが備えられ、その第１出力端子５６Ａには図１における右側の残留塩素センサ３０（以下、適宜、「第１残留塩素センサ３０」という）におけるセンシング電極３３のリード線３６Ａが接続されると共に、第２出力端子５６Ｂには図１における左側の残留塩素センサ３０（以下、適宜、「第２残留塩素センサ３０」という）におけるセンシング電極３３のリード線３６Ａが接続されている。そして、外部からの駆動信号に応じて、直流電源５７と第１残留塩素センサ３０を接続した状態と、直流電源５７と第２残留塩素センサ３０を接続した状態と、直流電源５７を何れの残留塩素センサ３０，３０からも切り離した状態とに切り替え可能となっている。
【００２７】
第１残留塩素センサ３０におけるベース電極３２のリード線３６Ｂと第２残留塩素センサ３０におけるベース電極３２のリード線３６Ｂは、電流・電圧変換回路５８に備えたＯＰアンプ５５の一方の入力端子に並列接続されている。また、上記した直流電源５７の負極とＯＰアンプ５５の他方の入力端子は、ＧＮＤ接続されている。これにより、スイッチ５６によって直流電源５７に接続された残留塩素センサ３０のセンシング電極３３及びベース電極３２間に流れた電流値が、電圧信号として制御回路５０に取り込まれる。そして、制御回路５０に備えた残留塩素センサ用ＣＰＵ５４が、それらセンシング電極３３及びベース電極３２の間に流れた電流値に基づいて残留塩素濃度を演算して出力する。
【００２８】
さて、残留塩素センサ用ＣＰＵ５４は、流路１３内における水道水の向きに応じて、流量センサ２０より下流側の残留塩素センサ３０を使用する一方、流量センサ２０より上流側の残留塩素センサ３０を停止するようにスイッチ５６を制御する。そのために、残留塩素センサ用ＣＰＵ５４は所定周期（例えば、１０［ｍｓ］）で図４に示したスイッチ制御プログラムＰ１を実行する。
【００２９】
スイッチ制御プログラムＰ１が実行されると、流量センサ２０の検出信号として流量測定用電極２２，２２の間の電位差ΔＶ（本発明に係る「電磁流量計の検出結果」に相当する）が取り込まれる（Ｓ１）。そして、その電位差ΔＶが「正」であるか否かを判別し（Ｓ２）、電位差ΔＶが「正」である場合には（Ｓ２でＹＥＳ）、図１において右向きに水道水が流れているものと判断し、スイッチ５６にて直流電源５７を第１出力端子５６Ａ側に接続する（Ｓ３）。これにより、図１において右向きに水道水が流れた場合に下流側に位置する第１残留塩素センサ３０（図１の右側の残留塩素センサ３０）のみが直流電源５７に接続され、上流側に位置した第２残留塩素センサ３０（図１の左側の残留塩素センサ３０）が直流電源５７から切り離される。
【００３０】
一方、電位差ΔＶが「正」でなかった場合には（Ｓ２でＮＯ）、図１において左向きに水道水が流れているものと判断し、スイッチ５６にて直流電源５７を第２出力端子５６Ｂ側に接続する（Ｓ４）。これにより、図１において左向きに水道水が流れた場合に下流側に位置する第２残留塩素センサ３０（図１の左側の残留塩素センサ３０）のみが直流電源５７に接続され、上流側に位置した第１残留塩素センサ３０（図１の右側の残留塩素センサ３０）が直流電源５７から切り離される。
【００３１】
このようにして、スイッチ制御プログラムＰ１が所定周期で実行される毎に、流量測定用電極２２，２２の間の電位差に基づいて水道水の流れる向きが判別されると共に、常に、流量センサ２０の下流側の残留塩素センサ３０のみが使用され、上流側の残留塩素センサ３０が停止されるようになる。
なお、本実施形態では、上記したステップＳ２が、本発明に係る「判別手段」が構成されている。また、スイッチ５６と上記したステップＳ３，Ｓ４とによって、本発明に係る「残留塩素センサ切替手段」が構成されている。
【００３２】
次に、上記構成からなる本実施形態の動作を説明する。
本実施形態の計測器１０は、水道管網における複数箇所に取り付けられ、それら計測器１０の検出結果が、例えば図示しない通信手段によって管理事務所に集められ、水道水の流量及び残留塩素濃度が管理される。具体的には、管理事務所からの遠隔操作によって計測器１０を起動すると、計測器１０に備えた流量センサ２０によって水道水の流量が計測されると共に、計測器１０に備えた残留塩素センサ３０によって水道水の残留塩素濃度が検出される。このとき、計測器１０の起動と共に、所定周期（例えば、１０［ｍｓ］）でスイッチ制御プログラムＰ１が繰り返して実行される。すると、スイッチ制御プログラムＰ１が実行される毎に、流量測定用電極２２，２２の間の電位差ΔＶに基づいて水道水の流れる向きが判別される。そして、その判別結果に基づいて、常に、流量センサ２０の下流側の残留塩素センサ３０のみが使用され、上流側の残留塩素センサ３０が停止されるようになる。これにより、残留塩素センサ３０によって残留塩素濃度を計測する際に発生したイオンが、流量センサ２０の流量測定用電極２２側に流れることが防がれる。
【００３３】
計測が終了したら、管理事務所からの遠隔操作によって計測器１０を停止する。すると、スイッチ５６によって何れの残留塩素センサ３０，３０も直流電源５７から切り離される。また、流量センサ２０の電磁コイル２１による励磁も行われなくなる。これにより不必要な電力消費及びイオンの発生が防がれる。
【００３４】
このように本実施形態の計測器１０によれば、流量センサ２０と残留塩素センサ３０とを備えているので、水道管網における一箇所で水道水の流量及び残留塩素濃度を計測することが可能になる。そして、水道管網における水道水の流れる向きが変わっても、常に、流量センサ２０の下流側の残留塩素センサ３０のみが使用され、上流側の残留塩素センサ３０が停止されるので、残留塩素センサ３０の使用時に発生するイオンが、流量センサ２０の測定精度に影響を及ぼさなくなり、水道水の流れる向きが変化しても安定して流量測定を行うことが可能になる。
【００３５】
しかも、この計測器１０では、各残留塩素センサ３０，３０は、１対の流量測定用電極２２，２２に対してパイプ部材１１に軸心周りに略９０度位相をずらした位置に配置されると共に、残留塩素センサ３０，３０同士が略１８０度位相がずれた位置の配置されているので、例えば、使用する残留塩素センサ３０を一方から他方に切り替えた直後に、その一方の残留塩素センサ３０で発生していたイオンが流量センサ２０及び他方の残留塩素センサ３０側に流れても、そのイオンが流量センサ２０に対して略９０度位相がずれた位置を通過すると共に、他方の残留塩素センサ３０に対して略１８０度位相がずれた位置を通過する。これにより、流量及び残留塩素濃度の測定精度への影響を抑えることができる。
なお、各残留塩素センサ３０は、センサハウジング３１にセンシング電極３３及びベース電極３２を一体固定した構造になっているので、残留塩素センサ３０の取り扱いが容易になりかつ、これらセンシング電極３３及びベース電極３２を、流路の一箇所に纏めて取り付けることができる。
【００３６】
［第２実施形態］
本実施形態は、図５に示されており、前記第１実施形態とはスイッチ制御プログラムの構成のみが異なる。以下、第１実施形態と異なる構成に関してのみ説明し、第１実施形態と同じ構成に関しては、第１実施形態と同一符号を付して重複した説明は省略する。
【００３７】
本実施形態のスイッチ制御プログラムＰ２が実行されると、流量測定用電極２２，２２の間の電位差ΔＶが取り込まれ（Ｓ１０）、その電位差ΔＶが基準値Ｃ１より大きいか否かを判別する（Ｓ１１）。そして、電位差ΔＶが基準値Ｃ１より大きい場合には（Ｓ１１でＹＥＳ）、図１において右向きに水道水が流れているものと判断し、スイッチ５６にて直流電源５７を第１出力端子５６Ａ側に接続する（Ｓ１３）。これにより、図１において右向きに水道水が流れた場合に下流側に位置する第１残留塩素センサ３０のみが直流電源５７に接続され、上流側に位置した第２残留塩素センサ３０が直流電源５７から切り離される。
【００３８】
一方、電位差ΔＶが基準値Ｃ１より大きくなかった場合には（Ｓ１１でＮＯ）、その電位差ΔＶが基準値−Ｃ１より小さいか否かを判別する（Ｓ１２）。そして、電位差ΔＶが基準値−Ｃ１より小さい場合には（Ｓ１２でＹＥＳ）、図１において左向きに水道水が流れているものと判断し、スイッチ５６にて直流電源５７を第２出力端子５６Ｂ側に接続する（Ｓ１５）。これにより、図１において左向きに水道水が流れた場合に下流側に位置する第２残留塩素センサ３０のみが直流電源５７に接続され、上流側に位置した第１残留塩素センサ３０が直流電源５７から切り離される。
【００３９】
さらに、電位差ΔＶが基準値−Ｃ１より小さくなかった場合には（Ｓ１２でＮＯ）、水道水の流量（流速）の絶対値が小さいために水道水が何れの方向に流れるかが不明確であると判断し、スイッチ５６にて直流電源５７を両出力端子５６Ａ，５６Ｂから切り離す（Ｓ１４）。これにより、第１及び第２の両方の残留塩素センサ３０，３０が停止される。これにより、確実に流量センサ２０の下流の残留塩素センサ３０のみを使用することが可能になる。なお、本実施形態では、上記したステップＳ１１，１２が、本発明に係る「判別手段」が構成されている。また、スイッチ５６と上記したステップＳ１３，Ｓ１４，Ｓ１５とによって、本発明に係る「残留塩素センサ切替手段」が構成されている。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）前記第１実施形態では、残留塩素センサ３０，３０が流路１３に軸心周りに略１８０度位相をずらして配置されていたが、図６に示すように、残留塩素センサ３０，３０が流路１３に軸心周りの同じ位相で配置された構成にしてもよい。
【００４２】
（２）前記第１実施形態では、パイプ部材１１に流量センサ２０と残留塩素センサ３０とを取り付けた構造であったが、本発明に係る流量・残留塩素濃度計測器において、流量センサ及び残留塩素センサが取り付けられる部材は必ずしもパイプ構造でなくてもよく、例えば、水道水が流される流路を備えたブロック状のボディに流量センサ及び残留塩素センサを取り付けた構成にしてもよい。
【００４３】
（３）上記第１実施形態では、銀製のベース電極３２と白金製のセンシング電極３３とを備えていたが、ベース電極は、塩化銀やステンレスでもよく、センシング電極は、金やカーボンでもよい。
【図面の簡単な説明】
【００４４】
【図１】本発明の第１実施形態に係る流量・残留塩素濃度計測器の側断面図
【図２】流量・残留塩素濃度計測器の回路図
【図３】残留塩素センサの側面図
【図４】スイッチ制御プログラムのフローチャート
【図５】第２実施形態に係るスイッチ制御プログラムのフローチャート
【図６】流量・残留塩素濃度計測器の変形例の側面図
【符号の説明】
【００４５】
１０    流量・残留塩素濃度計測器
１１    パイプ部材（ボディ）
１２    水道管
１３    流路
２０    電磁流量センサ
２１    電磁コイル
２２    流量測定用電極
３０    残留塩素センサ
３１    センサハウジング
３２    ベース電極（残留塩素濃度測定用電極）
３３    センシング電極（残留塩素濃度測定用電極）
５６    スイッチ（残留塩素センサ切替手段）
【図１】
2005321230.tif 000003
【図２】
2005321230.tif 000004
【図３】
2005321230.tif 000005
【図４】
2005321230.tif 000006
【図５】
2005321230.tif 000007
【図６】
2005321230.tif 000008